(57)【要約】【課題】  動画像データの中から所望の静止画像データを容易に抽出することが可能な静止画像抽出装置を提供すること。【解決手段】  時系列的に連続する複数の静止画像データから任意の静止画像データを抽出するデジタルカメラ１００の制御部３は、複数の静止画像データに基づく動画再生中の画像選択指示に応答して、複数の静止画像データの第１の範囲から時系列的に連続しない第１の静止画像データ群を選択し、第１の静止画像データ群の中から指定された静止画像データを基準とする第１の範囲よりも狭い第２の範囲から第２の静止画像データ群を選択し、第２の静止画像データ群の中から指定された静止画像データを出力する。【選択図】図１
2005045620.tif 000002
【特許請求の範囲】
【請求項１】
時系列的に連続する複数の静止画像データから任意の静止画像データを抽出する静止画像抽出装置であって、
前記複数の静止画像データに基づく動画再生中の画像選択指示に応答して、前記複数の静止画像データの第１の範囲から時系列的に連続しない第１の静止画像データ群を選択する第１の画像選択手段と、
前記第１の静止画像データ群の中から指定された静止画像データを基準とする前記第１の範囲よりも狭い第２の範囲から第２の静止画像データ群を選択する第２の画像選択手段と、
前記第２の静止画像データ群の中から指定された静止画像データを出力する画像出力手段とを備える静止画像抽出装置。
【請求項２】
請求項１記載の静止画像抽出装置であって、
前記第２の静止画像データ群は、時系列的に連続するものである静止画像抽出装置。
【請求項３】
請求項１又は２記載の静止画像抽出装置であって、
前記第２の静止画像データ群は、前記第１の静止画像データ群の中から指定された静止画像データを含む静止画像抽出装置。
【請求項４】
請求項１〜３のいずれか記載の静止画像抽出装置であって、
前記第１の静止画像データ群に含まれる静止画像データは、前記画像選択指示時点に対応する静止画像データよりも時系列的に前、後ろ、または前後のものである静止画像抽出装置。
【請求項５】
請求項１〜３のいずれか記載の静止画像抽出装置であって、
前記第２の静止画像データ群に含まれる静止画像データは、前記第１の静止画像データ群の中から指定された静止画像データよりも時系列的に前、後ろ、または前後のものである静止画像抽出装置。
【請求項６】
請求項１〜５のいずれか記載の静止画像抽出装置であって、
前記複数の静止画像データは、静止画像を単体で再生可能なキー画像データと、前記キー画像データとの差分画像データとを含み、
前記第１の画像選択手段は、前記第１の静止画像データ群に含まれる静止画像データとして前記キー画像データを選択するものである静止画像抽出装置。
【請求項７】
請求項１〜６のいずれか記載の静止画像抽出装置であって、
前記第１及び第２の画像選択手段による静止画像データの選択条件の少なくとも一方が任意に設定可能である静止画像抽出装置。
【請求項８】
請求項１〜７のいずれか記載の静止画像抽出装置であって、
前記第１の静止画像データ群に基づく複数の静止画像と、前記第２の静止画像データ群に基づく複数の静止画像とをそれぞれ分割表示可能な表示装置を備える静止画像抽出装置。
【発明の詳細な説明】
【技術分野】
【０００１】
本発明は、時系列的に連続する複数の静止画像データから任意の静止画像データを抽出する静止画像抽出装置に関する。
【背景技術】
【０００２】
近年のコンピュータ技術の発展は、デジタルカメラ、カメラ付き携帯電話、カメラ付きコンピュータ、ビデオカメラ、ビデオプリンタなどのデジタル画像を扱う各種機器を登場させた。これらの各種機器では、静止画を連続させて切り替えることで動画を表示させることができるようになっている。
【０００３】
これらの各種機器では、動画像から静止画像を抽出して各種ディスプレイに表示させたり、プリンタによって印刷させたり、各種記憶媒体に記録させたりする機能が搭載されているものもある（例えば特許文献１参照）。
【０００４】
この特許文献１に記載の技術によると、動画像を鑑賞中のユーザによって、機器のフリーズキー（一時停止ボタン）が押下された場合には、押下時点に対応する静止画像を表示するとともに、その押下時点に対応する静止画像の前後の静止画像を所定の時間間隔毎に所定枚数だけ選択して表示し、ユーザに所望の静止画像を指定させるようになっている。また、上記時間間隔は、その都度設定変更可能になっている。
【０００５】
【特許文献１】特開平７−２９８１７６号公報
【発明の開示】
【発明が解決しようとする課題】
【０００６】
しかしながら、上述した特許文献１に記載の技術は、フリーズキーの押下時点に対応する静止画像と、その時点の前後の静止画像とを所定の時間間隔毎に所定枚数だけ選択して表示するものであるため、表示されてない静止画像の中に所望の静止画像が存在する可能性が高く、所望の静止画像を探すために、一般には、フリーズキーによるボタン操作を何回か繰り返す必要がある。
【０００７】
また、時間間隔を任意に設定することで所望の静止画像を探しやすくすることも可能であるが、設定を変更する必要があり面倒である。
【０００８】
本発明は、上記事情に鑑みてなされたものであり、時系列的に連続する複数の静止画像データから所望の静止画像データを容易に抽出することが可能な静止画像抽出装置を提供することを目的とする。
【課題を解決するための手段】
【０００９】
本発明の静止画像抽出装置は、時系列的に連続する複数の静止画像データから任意の静止画像データを抽出する静止画像抽出装置であって、前記複数の静止画像データに基づく動画再生中の画像選択指示に応答して、前記複数の静止画像データの第１の範囲から時系列的に連続しない第１の静止画像データ群を選択する第１の画像選択手段と、前記第１の静止画像データ群の中から指定された静止画像データを基準とする前記第１の範囲よりも狭い第２の範囲から第２の静止画像データ群を選択する第２の画像選択手段と、前記第２の静止画像データ群の中から指定された静止画像データを出力する画像出力手段とを備える。又、前記第２の静止画像データ群が、時系列的に連続するものである。
【００１０】
この装置によれば、複数の静止画像データの第１の範囲から時系列的に連続しない第１の静止画像データ群を選択し、更に、その中から指定された静止画像データを基準とする第２の範囲から連続する第２の静止画像データ群を選択し、選択した第２の静止画像データ群の中から指定されたものを出力することができる。このため、１回目に選択した第１の静止画像データ群に含まれていない静止画像データも画像指定の対象とすることが可能となり、ユーザは、所望の静止画像データを容易に抽出することが可能となる。
【発明の効果】
【００１１】
本発明によれば、時系列的に連続する複数の静止画像データから所望の静止画像データを容易に抽出することが可能な静止画像抽出装置を提供することができる。
【発明を実施するための最良の形態】
【００１２】
以下、図面を参照して本発明の実施形態を説明する。なお、以下の説明では、本発明の静止画像抽出装置を搭載するデジタルカメラについて説明する。
【００１３】
図１は、本発明の実施形態を説明するためのデジタルカメラの概略構成を示す図である。デジタルカメラ１００は、撮像部１、信号処理部２、制御部３、ＲＡＭ４、ＲＯＭ５、記憶媒体６、表示部７、および操作部８を備える。
【００１４】
撮像部１は、撮像レンズ、絞り機構、およびオートフォーカス機構等を備えた光学系と、ＣＣＤ等の固体撮像素子とを備え、光学系を介してＣＣＤに結像された被写体像を電気信号に変換する。
【００１５】
信号処理部２は、ＣＣＤの出力信号をデジタル画像信号に変換するＡ／Ｄコンバータ、デジタル画像信号から輝度・色差信号を生成する色分離回路、明るさ補正、ホワイトバランス補正、ガンマ補正、シャープネス補正、コントラスト補正等の補正処理回路を有し、画像信号の処理を実行する。
【００１６】
ＲＡＭ４は、揮発性メモリからなり、信号処理部２において取得した画像信号の一時記憶領域や表示部７に出力するための表示用データを格納する表示用メモリとして利用される。また、ＲＯＭ５は、不揮発性メモリからなり、撮像処理や表示制御処理、静止画像抽出処理等を制御するプログラム等が格納される。
【００１７】
記憶媒体６は、デジタルカメラ１００本体に着脱可能な、例えば、スマートメディア（登録商標）やコンパクトフラッシュ（登録商標）、ＳＤメモリカード（登録商標）等のリムーバブルメディアであり、静止画像データや時系列的に連続する複数の静止画像データから構成される動画像データなどの画像データが記憶される。なお、記憶媒体６はリムーバブルメディアに限らず、デジタルカメラ１００本体に内蔵されたフラッシュメモリ等からなる内部メモリであってもよい。
【００１８】
表示部７は、液晶ディスプレイ（ＬＣＤ）等の表示装置であり、撮影時に撮影情報やスルー画像を表示したり、記憶媒体６に記憶された画像データを再生して表示したりする。
【００１９】
操作部８は、電源スイッチ、モード切換スイッチ、機能選択ボタン、方向キー、およびシャッタボタン等を備えるデジタルカメラ１００の操作入力手段であり、これらのキーが操作されることによる状態信号が制御部３に送られ、デジタルカメラ１００の各機能が実行される。
【００２０】
制御部３は、ＲＡＭ４およびＲＯＭ５を含んでマイクロプロセッサを構成し、ＲＯＭ５に格納される所定のプログラムを実行することにより、信号処理部２で得られた画像信号についてＪＰＥＧ圧縮・伸張処理を行うと共に、圧縮処理して得られた画像データの記憶媒体６への記憶や、記憶媒体６に記憶された画像データの表示部７への再生等を制御する。
【００２１】
制御部３は、記録媒体６に記憶されている画像データの再生時、記憶媒体６から画像データを読み出して表示用データを生成し、ＲＡＭ４に一時的に記憶する。そして、ＲＡＭ４から表示用データを順次読み出して表示部７に出力する。
【００２２】
制御部３は、記憶媒体６に記憶されている動画像データの再生中に操作部８が操作されて一時停止の指示（画像選択指示）がなされると、動画像データの再生を停止させ、画像選択指示時点に対応する静止画像データを基準とする第１の範囲（例えば、基準とする静止画像データの前後１分の範囲）に含まれる静止画像データから時系列的に連続しない第１の静止画像データ群を選択し、第１の静止画像データ群に基づく複数の静止画像を表示部７に表示させる。具体的には、ＲＡＭ４に記憶した表示用データの中から第１の静止画像データ群の表示用データを抽出し、表示部７に出力する。
【００２３】
画像選択指示時点に対応する静止画像データとは、画像選択指示がなされた時点で表示部７に表示されている静止画像データやその時点に時間的に近い位置にある静止画像データ等のことを言う。また、時系列的に連続しないとは、第１の静止画像データ群に含まれる静止画像データの各々が時系列的に隣接していないことを言う。つまり、ここで選択される各静止画像データ間には少なくとも１つの静止画像データがスキップされていることを意味する。
【００２４】
なお、制御部３による第１の静止画像データ群の選択条件は任意に設定可能である。この選択条件とは、各静止画像データ間でスキップされる静止画像データの数や第１の静止画像データ群を構成する静止画像データの数等のことである。また、上記第１の範囲をユーザにより設定可能としても良い。
【００２５】
制御部３は、第１の静止画像データ群の中からユーザにより指定された静止画像データを基準とする上記第１の範囲よりも狭い第２の範囲（例えば、基準とする静止画像データの前後２０秒の範囲）に含まれる静止画像データから第２の静止画像データ群を選択して、第２の静止画像データ群に基づく複数の静止画像を表示部７に表示させる。具体的には、ＲＡＭ４に記憶されている動画像データの表示用データの中から、第２の静止画像データ群の表示用データを抽出し、表示部７に出力する。
【００２６】
なお、第２の静止画像データ群は、時系列的に連続する複数の静止画像データの第２の範囲から選択される複数の静止画像データであるが、この複数の静止画像データは、時系列的に連続しないものでも良いし、時系列的に連続するものでも良い。又、第１の静止画像データ群の中から指定された静止画像データを含んでいてもいなくても良い。但し、第１の静止画像データ群に含まれていない静止画像データを少なくとも１つは含んでいる必要がある。
【００２７】
また、制御部３による第２の静止画像データ群の選択条件は任意に設定可能である。この選択条件とは、各静止画像データ間でスキップされる静止画像データの数や第２の静止画像データ群を構成する静止画像データの数等のことである。また、上記第２の範囲をユーザにより設定可能としても良い。
【００２８】
制御部３は、第２の静止画像データ群の中からユーザにより指定された静止画像データを記憶媒体６から抽出して外部に出力する。具体的には、第２の静止画像データ群の中からユーザにより指定された静止画像データの表示用データをＲＡＭ４から読み出して表示部７に出力する。
【００２９】
以下、図１に示すデジタルカメラの動作について図面を参照して説明する。
【００３０】
図２は、本発明の実施形態を説明するためのデジタルカメラの制御部３の動作フローを示す図である。図３（Ａ）〜（Ｃ）は、動画像データを構成する静止画像データを再生方向αに時系列的に並べた図である。図３には、再生方向αに向かって静止画像データＦ１〜Ｆ３５までを左から順に示してある。図４は、動画像データに基づく動画像の表示画面例を示す図である。図５は、図４に示す画面からユーザにより画像選択指示がなされた場合に遷移する表示画面例を示す図である。図６は、図５に示す画面からユーザにより１つの静止画像が選択された場合に遷移する表示画面例を示す図である。
【００３１】
制御部３は、ユーザにより動画像データ再生の指示があると、記憶媒体６から動画像データを読み出し（Ｓ１０１）、表示用データを生成し、ＲＡＭ４に順次格納する（Ｓ１０２）。そして、ＲＡＭ４から表示用データを時系列に沿って順次読み出して表示部７に出力する（Ｓ１０３）。これにより、図４に示すように、表示部７には動画像データに基づく動画像が表示される。
【００３２】
動画像の表示中に、ユーザにより画像選択指示があると（Ｓ１０４：ＹＥＳ）、制御部３は、動画像の表示を一時停止させ、画像選択指示時点に対応する静止画像データおよびその前後それぞれ４つの静止画像データを選択し（Ｓ１０５）、選択した９つの静止画像データの表示用データをＲＡＭ４から抽出し、その９つの静止画像データに基づく静止画像の一覧表示用データを生成し、表示部７に出力する（Ｓ１０６）。
【００３３】
例えば、図３（Ａ）に示す静止画像データＦ１８に基づく画像が表示部７に表示されている時点（図４）で画像選択指示がなされた場合、制御部３は、図３（Ｂ）に示すように、静止画像データＦ１８を基準とする第１の範囲から９つの静止画像データＦ２、Ｆ６、Ｆ１０、Ｆ１４、Ｆ１８、Ｆ２２、Ｆ２６、Ｆ３０、Ｆ３４を選択して、それらの表示用データをＲＡＭ４から抽出し、これらの表示用データから一覧表示用データを生成し、表示部７に出力する。これにより、表示部７には、図５に示すような分割表示画面が表示される。
【００３４】
図３（Ｂ）に示すように、制御部３が選択する時系列的に連続しない９つの静止画像データの各々の間には、少なくとも１つの静止画像データがスキップされていることがわかる。
【００３５】
制御部３は、図５に示す画面の表示中に、ユーザにより静止画像データＦ１４に基づく画像が指定されると、図３（Ｃ）に示すように、静止画像データＦ１４を基準とする第２の範囲から、静止画像データF１４を含む時系列的に連続する９つの静止画像データＦ１０〜Ｆ１８を選択して（Ｓ１０７）、それらの表示用データをＲＡＭ４から抽出し、これらの表示用データから一覧表示用データを生成し、表示部７に出力する（Ｓ１０８）。これにより、表示部７には、図６に示すような分割表示画面が表示される。
【００３６】
なお、図３（Ｃ）では、制御部３が、静止画像データＦ１４を含む連続した９つの静止画像データ（Ｆ１０〜Ｆ１８）を選択しているが、例えば、静止画像データＦ６、Ｆ８、Ｆ１０、Ｆ１２、Ｆ１４、Ｆ１６、Ｆ１８、Ｆ２０、Ｆ２２のように飛び飛びで９つの静止画像データを選択しても良い。ただし、第１の静止画像データ群に含まれていない静止画像データＦ１１〜Ｆ１３、Ｆ１５〜Ｆ１７等のうち少なくとも１つは選択するようにする。
【００３７】
図６に示す画面の表示中に、ユーザにより１つの静止画像データＦ１６が指定されると、制御部３は、記憶媒体６から静止画像データＦ１６を抽出して（Ｓ１０９）、別ファイルとして記憶媒体６に記憶したり、印刷装置に出力して静止画像データＦ１６に基づく画像を印刷させたり、静止画像データＦ１６の表示用データをＲＡＭ４から読み出して表示部７に出力して表示させたりする（Ｓ１１０）。
【００３８】
次に、図４〜図６に示した表示画面の画面遷移の流れについて詳細に説明する。ここでは、車が画面左側から右側に向けて走行している動画像において、車全体を表示した静止画像をユーザが抽出したい場合について説明する。
【００３９】
静止画像データＦ１８に基づく画像が表示されている場合（図４）に、ユーザが画像選択指示を行うと、図５に示すように、静止画像データＦ１８を中心にして、静止画像データＦ２、Ｆ６、Ｆ１０、Ｆ１４、Ｆ１８、Ｆ２２、Ｆ２６、Ｆ３０、Ｆ３４に基づく９つの画像が表示部７に分割表示される。
【００４０】
このとき、図５に示すように、静止画像データＦ１４に基づく画像では、車の前半分が画面左側に表示されているため、静止画像データＦ１４と静止画像データＦ１８との間に車全体が写っている静止画像データが存在する。ここでユーザが静止画像データＦ１４を指定すると、図６に示すように、静止画像データＦ１４を中心にして、静止画像データＦ１０〜Ｆ１８に基づく９枚の画像が表示部７に分割表示される。静止画像データＦ１６に基づく画像は車全体を表示しているものであるため、ユーザはこの静止画像データＦ１６を選択して表示させたり、印刷させたりすることで所望の静止画像の抽出を完了する。
【００４１】
なお、動画像データの再生中に画像選択指示がなされた場合、上記では静止画像データＦ１８を中心にした時系列的に前後の静止画像データを選択して画像の一覧を表示させるようにしているが、静止画像データＦ１８より前のみまたは後のみの静止画像データを選択して画像の一覧を表示させるようにしてもよい。以下、この場合について説明する。
【００４２】
図７は、図３（Ｂ）に相当する図である。例えば、画像選択指示時点に対応する静止画像データがＦ２であった場合、図７（Ａ）に示すように、制御部３は、静止画像データＦ２を基準とする例えば前後２分の静止画像データ（第１の範囲）のうち、静止画像データＦ２よりも時系列的に後（まだ表示していない静止画像データ）にある静止画像データ群（例えば、Ｆ６、Ｆ１０、Ｆ１４、Ｆ１８、Ｆ２２、Ｆ２６、Ｆ３０、Ｆ３４）を選択して画像の一覧を表示させるようにする。または、図７（Ｂ）に示すように、静止画像データＦ３４が指定された場合、制御部３は、静止画像データＦ３４を基準とする例えば前後２分の静止画像データ（第１の範囲）のうち、静止画像データＦ３４よりも時系列的に前（既に表示した静止画像データ）にある静止画像データ群（例えば、Ｆ２、Ｆ６、Ｆ１０、Ｆ１４、Ｆ１８、Ｆ２２、Ｆ２６、Ｆ３０）を選択して画像の一覧を表示させるようにする。
【００４３】
また、図５に示すような一覧画面が表示された状態で、ユーザにより静止画像が指定された場合、上記では静止画像データＦ１４を中心にした前後それぞれ４つの静止画像データＦ１０〜Ｆ１８を選択して画像の一覧を表示させるようにしているが、静止画像データＦ１４の前のみまたは後のみの静止画像データを選択して画像の一覧を表示させるようにしてもよい。以下、この場合について説明する。
【００４４】
図８は、図３（Ｃ）に相当する図である。図８（Ａ）に示すように、静止画像データＦ１４がユーザにより指定された場合、制御部３は、静止画像データＦ１４を基準とする例えば前後４０秒の範囲（第２の範囲）のうち、静止画像データＦ１４よりも時系列的に後（まだ表示していない静止画像データ）にある静止画像データ（例えば、Ｆ１５〜Ｆ２２）を選択して画像の一覧を表示させるようにする。または、図８（Ｂ）に示すように、静止画像データＦ１４が指定された場合、制御部３は、静止画像データＦ１４を基準とする例えば前後４０秒の範囲（第２の範囲）のうち、静止画像データＦ１４よりも時系列的に前（既に表示した静止画像データ）にある静止画像データ（例えば、Ｆ６〜Ｆ１３）を選択して画像の一覧を表示させるようにする。
【００４５】
また、図５に示すような一覧画面が表示された状態で、ユーザにより静止画像が指定された場合、上記では静止画像データＦ１４を中心にした前後それぞれ４つの静止画像データＦ１０〜Ｆ１８を選択して画像の一覧を表示させるようにしているが、静止画像データＦ１４は必ずしも表示させる必要はない。
例えば、図６に示す画面上において、図３（Ｂ）に示す静止画像データＦ１１〜Ｆ１３とＦ１６〜Ｆ１７に基づく画像だけを表示させても良い。本実施形態のデジタルカメラの特徴は、第１の静止画像データ群に含まれていない静止画像データをユーザにより指定可能としている点であるため、図６に示す画面上において、静止画像データＦ１０、Ｆ１４、およびＦ１８に基づく画像を表示させることは必ずしも必要ではないが、第１の静止画像データ群から指定された静止画像データに基づく画像を併せて表示することで、デジタルカメラの操作性は向上する。
【００４６】
以上のように本実施形態によれば、図３に示したように、従来は指定できなかった静止画像データＦ１１〜Ｆ１３およびＦ１５〜Ｆ１７等が指定可能となるため、所望の静止画像データを容易に抽出することができる。また、２段階で静止画像データの抽出対象を絞り込んでいくことができるため、煩雑な操作を行うことなく、従来よりも細かく静止画像データを探していくことができる。
【００４７】
また、制御部３による静止画像データの選択条件を任意に設定することも可能なため、上記２段階の絞込みと、この選択条件とを上手く組み合わせることによって、より簡単に所望の静止画像データを抽出することができる。
【００４８】
また、表示部７に表示させる９つの静止画像として、指定された静止画像の前後だけでなく、指定された静止画像の前または後のみを表示させることも可能である。動画像を再生している状態では、既に再生された内容を見てから、一時停止の指示を行うのが普通である。このため、既に表示された９つの静止画像を表示部７に表示可能にすることは装置としての利便性を向上させることに繋がる。
【００４９】
次に、記憶媒体６に記憶されている動画像データがＭＰＥＧ(Motion Picture coding Experts Group)に準拠したものである場合について説明する。
【００５０】
ＭＰＥＧに準拠した画像データは、キー画像データであるＩピクチャ（Intra-Picture）と、差分画像データであるＢピクチャ（Bidirectionally predictive-Picture）及びＰピクチャ（Predictive-Picture）と呼ばれる３種類のフレームを順次交互に並べた構成になっている。
【００５１】
Ｉピクチャは、静止画像を単体で再生可能なものである。Ｂピクチャは、ＩピクチャとＰピクチャを参照することで静止画像を再生可能とするものである。Ｐピクチャは、Ｉピクチャを参照してフレーム間予測により静止画像を再生可能とするものである。
【００５２】
この場合、制御部３は、画像選択指示時点に対応するＩピクチャを基準とした上記第１の範囲から複数のＩピクチャを選択して、これを第１の静止画像データ群とする。また、上記選択した複数のＩピクチャの中から指定されたＩピクチャを基準とした上記第２の範囲から複数の静止画像データを選択して、これを第２の静止画像データ群とする。なお、画像選択指示時点に対応するＩピクチャとは、画像選択指示時点に表示部７に表示されている静止画像データの最も近くにあるＩピクチャ等のことである。
【００５３】
以下、記憶媒体６に記憶されている動画像データがＭＰＥＧ(Motion Picture coding Experts Group)に準拠したものである場合のデジタルカメラ１００の動作について説明する。
図９は、本発明の実施形態を説明するためのデジタルカメラの制御部の動作フローを示す図である。図１０は、図３に相当する図である。図１０中、静止画像データＦ２、Ｆ１０、Ｆ１８、Ｆ２６、Ｆ３４はＩピクチャ、静止画像データＦ６、Ｆ１４、Ｆ２２、Ｆ３０はＰピクチャ、それ以外の静止画像データはＢピクチャを示している。
【００５４】
制御部３は、ユーザにより動画像データ再生の指示があると、記憶媒体６から動画像データを読み出し（Ｓ２０１）、Ｉピクチャから表示用データを生成し、ＲＡＭ４に記憶する。ＢピクチャおよびＰピクチャの場合には、それぞれＩピクチャとＰピクチャの情報によって静止画像データを復号して、その表示用データを生成し、ＲＡＭ４に記憶する（Ｓ２０２）。表示用データの記憶後は、ＲＡＭ４から表示用データを順次読み出して表示部７に出力する（Ｓ２０３）。これにより、表示部７には動画像データに基づく動画像が表示される。
【００５５】
動画像の表示中に、ユーザにより画像選択指示があると（Ｓ２０４：ＹＥＳ）、制御部３は、動画像の表示を一時停止させ、画像選択指示時点に対応するＩピクチャを基準とする第１の範囲から９つのＩピクチャを選択し（Ｓ２０５）、選択した９つのＩピクチャの表示用データをＲＡＭ４から抽出し、その９つのＩピクチャに基づく静止画像の一覧表示用データを生成し、表示部７に出力する（Ｓ２０６）。
【００５６】
例えば、図１０（Ａ）に示す静止画像データＦ１６に基づく画像が表示部７に表示されている時点で画像選択指示がなされた場合、静止画像データＦ１６はＢピクチャであるため、制御部３は、静止画像データＦ１６近傍のＩピクチャの静止画像データＦ１８を基準とする第１の範囲から、図１０（Ｂ）に示すように、静止画像データＦ２、Ｆ１０、Ｆ１８、Ｆ２６、Ｆ３４、静止画像データＦ２よりも時系列的に前（図中左）の２つのＩピクチャ（図示省略）、および静止画像データＦ３４よりも時系列的に後（図中右）の２つのＩピクチャを含む９つのＩピクチャを選択し、それらの表示用データをＲＡＭ４から抽出し、これらの表示用データから一覧表示用データを生成し、表示部７に出力する。これにより、表示部７には、９つのＩピクチャに基づく９つの静止画像が表示される。
【００５７】
９つの静止画像が表示された状態から静止画像データＦ１０が指定されると、制御部３は、静止画像データＦ１０を基準とする第２の範囲から９つの静止画像データＦ６〜Ｆ１４を選択して（Ｓ２０７）、それらの表示用データをＲＡＭ４から抽出し、これらの表示用データから一覧表示用データを生成し、表示部７に出力する（Ｓ２０８）。
【００５８】
この一覧表示用データに基づく画面の表示中に、ユーザにより１つの静止画像データＦ１２が指定されると、制御部３は、記憶媒体６から静止画像データＦ１２を抽出して（Ｓ２０９）、別ファイルとして記憶媒体６に記憶したり、印刷装置に出力して静止画像データＦ１２に基づく画像を印刷させたり、静止画像データＦ１２の表示用データをＲＡＭ４から読み出して表示部７に出力して表示させたりする（Ｓ２１０）。
【００５９】
以上のように、ＭＰＥＧに準拠した動画像データから静止画像データを抽出する場合には、図１０（Ｂ）に示すように、まずＩピクチャのみが選択されて表示される。Ｉピクチャは単体で静止画像データを再生できるものであるため、動画像の表示中に画像選択指示があってから、９つの静止画像を表示するまでの時間を短縮することができ、処理の高速化を図ることができる。
【００６０】
なお、本実施形態では、図５および図６に示すように、静止画像を一覧表示させてユーザに指定させるようにしているが、９つの静止画像を順次切り替えてスライド表示させるようにしてもよい。
【００６１】
また、デジタルカメラの他に、例えば、カメラ付き携帯電話、コンピュータ、ビデオカメラ、ビデオプリンタなどのデジタル画像を扱う各種機器についても、本実施形態の場合と同様に処理を行うことが可能である。
【図面の簡単な説明】
【００６２】
【図１】本発明の実施形態を説明するためのデジタルカメラの概略構成を示す図
【図２】本発明の実施形態を説明するためのデジタルカメラの制御部の動作フローを示す図
【図３】動画像データを構成する静止画像データを再生方向αに時系列的に並べた図
【図４】動画像データに基づく動画像の表示画面例を示す図
【図５】図４に示す画面からユーザにより一時停止の指示がなされた場合に遷移する表示画面例を示す図
【図６】図５に示す画面からユーザにより１つの静止画像が選択された場合に遷移する表示画面例を示す図
【図７】動画像データを構成する静止画像データを再生方向αに時系列的に並べた図
【図８】動画像データを構成する静止画像データを再生方向αに時系列的に並べた図
【図９】本発明の実施形態を説明するためのデジタルカメラの制御部の動作フローを示す図
【図１０】ＭＰＥＧに準拠した動画像データを構成する静止画像データを再生方向αに時系列的に並べた図
【符号の説明】
【００６３】
１００  デジタルカメラ
１  撮像部
２  信号処理部
３  画像データ制御部
４  ＲＡＭ
５  ＲＯＭ
６  記憶媒体
７  表示部
８  操作部
【図１】
2005045620.tif 000003
【図２】
2005045620.tif 000004
【図３】
2005045620.tif 000005
【図４】
2005045620.tif 000006
【図５】
2005045620.tif 000007
【図６】
2005045620.tif 000008
【図７】
2005045620.tif 000009
【図８】
2005045620.tif 000010
【図９】
2005045620.tif 000011
【図１０】
2005045620.tif 000012